(57)【要約】【課題】溶接用のワイヤを駆動ローラのガイド溝に係合させて押えローラとの間に挟んだ状態とすることでワイヤが滑らないような構造とした溶接用ワイヤ送給装置を提供する。【解決手段】溶接用のワイヤＷを巻回したワイヤリールＲを配置するとともに駆動ローラ６及び押えローラ７を配置して、溶接用トーチ２０内のチップ２１の中心孔２２を挿通する前記ワイヤＷを駆動ローラ６と押えローラ７間に挟み込んで繰り出す溶接用ワイヤ送給装置１において、前記駆動ローラ６は、回転軸に固定される軸部ローラ５の外側に嵌合して同軸に取付けられるとともに外周に前記ワイヤＷを係合して案内するガイド溝６ａが設けられ、前記ガイド溝６ａの底部に連続した微細な凹凸が設けられて、前記駆動ローラ６と押えローラ７間に前記ワイヤＷを挟み込んで繰り出すことで、前記ワイヤＷが長手方向に沿う側面に凹凸を有して前記チップの中心孔に送給されるように構成した。【選択図】図１
2010000531.tif 000002
【特許請求の範囲】
【請求項１】
溶接用のワイヤを巻回したワイヤリールを配置するとともに前記ワイヤリールのワイヤ繰り出し側に駆動ローラ及び押えローラを配置して、溶接用トーチ内のチップの中心孔を挿通する前記ワイヤを駆動ローラと押えローラ間に挟み込んで繰り出す溶接用ワイヤ送給装置において、
前記駆動ローラは、回転軸に固定される軸部ローラの外側に嵌合して同軸に取付けられるとともに外周に前記ワイヤを係合して案内するガイド溝が設けられ、前記ガイド溝の底部に連続した微細な凹凸が設けられて、前記駆動ローラと押えローラ間に前記ワイヤを挟み込んで繰り出すことで、前記ワイヤが長手方向に沿う側面に凹凸を有して前記チップの中心孔に送給されることを特徴とする溶接用ワイヤ送給装置。
【発明の詳細な説明】
【技術分野】
【０００１】
本発明は、ワイヤリールから溶接トーチへ向けて溶接用のワイヤを繰り出して溶接トーチ内のチップへ送給するようにした溶接用ワイヤ送給装置に関するものである。
【背景技術】
【０００２】
この種の溶接用ワイヤ送給装置は、電極となる溶接用のワイヤと母材の間にアークを発生させて母材およびワイヤを溶融させて接合するアーク溶接トーチに使用されている。
【０００３】
例えば、特開２００１−４７２３８号公報に記載の消耗電極式アーク溶接装置は、溶接用ワイヤを導出するチップが装着された溶接トーチと、この溶接トーチにコンジットケーブルを介して溶接用ワイヤを送り可能なワイヤ供給部とを有し、ワイヤ供給部が、本体と、この本体に支持軸を介して回転可能に装着されたワイヤリールと、このワイヤリールから溶接トーチヘ向けて溶接用ワイヤを繰り出して送給可能な手段とを備えた消耗電極式アーク溶接装置において、ワイヤリールの回転抵抗をベアリングまたはブッシュを用いて減ずる回転抵抗減少手段を設けるとともに、ワイヤ供給部のワイヤリール等の構成部品を外部から覆って密閉しワイヤリールからコンジットケーブルの入口部までの溶接用ワイヤ部分にゴミ・埃等の異物が外部から付着するのを阻止する密閉カバーを設けた構成である。
【特許文献１】特開２００１−４７２３８号公報
【発明の開示】
【発明が解決しようとする課題】
【０００４】
一般に市販の溶接用ワイヤ送給装置は、溶接用のワイヤを巻回したワイヤリールを固定式のリール軸に遊嵌してワイヤの先端側を駆動ローラの外周に設けたガイド溝に係合し、押えローラとの間に挟んでモータで駆動ローラを回転してワイヤを引き出すようにしている。
【０００５】
ところがワイヤを駆動ローラのガイド溝に係合させて押えローラとの間に挟んだ状態において、ガイド溝でワイヤが滑ってしまうことがある。ワイヤが滑ると、ワイヤの繰り出される状態が不安定になり、ワイヤが振動して良好な溶接ができないという問題がある。また、溶接用トーチは、長期間使用しているとチップの中心孔に附着したスラッジによる目詰まりが原因で溶接用のワイヤが円滑に送給できなくなるという問題がある。
【０００６】
そこで、本願発明の第１の目的は、溶接用のワイヤを駆動ローラのガイド溝に係合させて押えローラとの間に挟んだ状態とすることでワイヤが滑らないような構造とした溶接用ワイヤ送給装置を提供するものである。
【０００７】
また、本願発明の第２の目的は、溶接用ワイヤ送給装置から繰り出す溶接用のワイヤに研磨機能を付加し、溶接用トーチ内のチップの中心孔にワイヤが挿通することで、チップの中心孔内が研磨できるようにした溶接用ワイヤ送給装置を提供するものである。
【課題を解決するための手段】
【０００８】
本願の請求項１に記載の発明は、溶接用のワイヤを巻回したワイヤリールを配置するとともに前記ワイヤリールのワイヤ繰り出し側に駆動ローラ及び押えローラを配置して、溶接用トーチ内のチップの中心孔を挿通する前記ワイヤを駆動ローラと押えローラ間に挟み込んで繰り出す溶接用ワイヤ送給装置において、前記駆動ローラは、回転軸に固定される軸部ローラの外側に嵌合して同軸に取付けられるとともに外周に前記ワイヤを係合して案内するガイド溝が設けられ、前記ガイド溝の底部に連続した微細な凹凸が設けられて、前記駆動ローラと押えローラ間に前記ワイヤを挟み込んで繰り出すことで、前記ワイヤが長手方向に沿う側面に凹凸を有して前記チップの中心孔に送給されることを特徴とする溶接用ワイヤ送給装置である。
【発明を実施するための最良の形態】
【０００９】
以下に本発明の実施例を図面を参照して説明する。
【実施例】
【００１０】
図１は本発明の実施例の平面図、図２は図１の概略側面図、図３は要部を拡大した概略説明図、図４はガイド溝の概略拡大図、図５は、溶接用ワイヤ送給装置の使用例を説明するための概略図である。
【００１１】
図１〜図４において、本発明の実施例の溶接用ワイヤ送給装置１は、市販の溶接用ワイヤ送給装置を利用したもので、リール収納部２の底部にベース板２ａが設けられている。そして、ベース板２ａ上には、前壁３ａとリール取付部を構成する側壁３ｂが立設され、また、前壁３ａの内側には前壁３ａと並列に、中間壁３ｃが立設されている。そして、側壁３ｂの前部に、側壁３ｂと段差を有して並列に、内部側壁３ｄが立設されている。内部側壁３ｄには溶接用ワイヤ送給用のモータ４が取付けられており、モータ４の回転軸４ａには絶縁部材で形成され鍔部５ａ及び筒状本体５ｂを有する軸部ローラ５が同軸に固定され、さらに、駆動ローラ６が、軸部ローラ５の筒状本体５ｂの外周に嵌合して同軸に装着されている。また、駆動ローラ６の上部には、押えローラ７が配置されている。また、中間壁３ｃにおいて、両ローラ６，７の入口側に位置してワイヤ ＷをワイヤリールＲから両ローラ６，７間に導くガイド筒８が設けられている。ガイド筒８は、入口側に向かってラッパ状に開口し、ラッパ状の根元から出口側は狭い同径の筒に形成されている。
【００１２】
駆動ローラ６は、外周に溶接用のワイヤＷ（以下の説明では単にワイヤＷと称する）を一部係合して案内するガイド溝６ａが設けられ、ガイド溝６ａにワイヤＷを係合した状態において、押えローラ７が駆動ローラ６との間にワイヤＷを挟んで加圧するように構成されている。これらモータ４、駆動ローラ６、押えローラ７及びガイド筒８は、溶接用ワイヤ送給手段８ａを構成する。また、固定式リール軸１０は、ボルト９１により側壁３ｂに固定され、ワイヤＷを巻回したワイヤリールＲが装着されている。
【００１３】
図３において、駆動ローラ６は、モータ４の回転軸４ａに固定される軸部ローラ５の鍔部５ａに当接した状態で、軸部ローラ５と駆動ローラ６の径方向に設けられた各貫通孔５ｃ，６ｃが連通する位置に合致させてスプリングピンＰ１により固定され、同軸に装着されている。この状態において、ガイド筒８の軸線の出口側は、駆動ローラ６のガイド溝６ａと一致し、ワイヤリールＲの両側フランジＲ１間の中心線上に位置させている。そのためワイヤリールＲから繰り出されたワイヤＷは、ガイド筒８を挿通して駆動ローラ６のガイド溝６ａに係合する。
【００１４】
次に、図５を参照して溶接用ワイヤ送給装置１の使用例について説明する。溶接用ワイヤ送給装置１において、ガイド溝６ａは、底部にワイヤＷの滑り止め用の連続した微細な凹凸が設けられてなる平目の彫り込みギア６ｂが形成されている。そのため、駆動ローラ６が回転してガイド溝６ａに係合したワイヤＷを繰り出す際に、平目の彫り込みギア６ｂによりワイヤＷの長手方向に沿う側面に連続した凹凸Ｗ１が形成されて駆動ローラ６の回転とともにワイヤＷが滑らないように確実に送給される。
【００１５】
また、ワイヤＷは、長手方向に沿う側面に連続した凹凸Ｗ１が形成されることにより研磨機能が付加された状態で溶接トーチ２０のチップ２１の中心孔２２に挿通されるから、中心孔２２内に附着しているスラッジを掻き落としながら送給されるので、チップの中心孔２２内におけるスラッジの附着による目詰まりを防止することができる。
【００１６】
また、長期の使用において、ガイド溝６ａに設けた平目の彫り込みギア６ｂの凹凸が摩耗して、ワイヤＷへ適切なに彫り込みを形成できなくなった場合、使い古した駆動ローラ６からスプリングピンＰ１を取り外して、駆動ローラ６を軸部ローラ５から外し、新品の駆動ローラ６に交換するとよい。新品の駆動ローラ６に交換する際には、ワイヤリールＲから引き出されたワイヤＷをガイド筒８に挿通し、駆動ローラ６が軸部ローラ５に嵌合する軸方向の位置を調整し、ワイヤＷを駆動ローラ６のガイド溝６ａの位置に一致させて係合し、駆動ローラ６にスプリングピンＰ１を取り付けて軸部ローラ５に固定することで、ガイド溝６ａからワイヤＷが外れないように駆動ローラ６をガイド筒８に対して適切な位置に取り付けることができる。
【図面の簡単な説明】
【００１７】
【図１】本発明の第１実施例の平面図である。
【図２】図１の概略側面図である。
【図３】は要部を拡大した概略説明図である。
【図４】ガイド溝の概略拡大図である。
【図５】溶接用ワイヤ送給装置の使用例の説明図である。
【符号の説明】
【００１８】
１  溶接用ワイヤ送給装置
２  リール収納部
２ａ  ベース板
３ａ  前壁
３ｂ  側壁
３ｃ  中間壁
３ｄ  内部側壁
４  モータ
４ａ  回転軸
５  軸部ローラ
５ａ  鍔部
５ｂ  筒状本体
５ｃ，６ｃ  貫通孔
６  駆動ローラ
６ａ  ガイド溝
６ｂ  彫り込みギア
７  押えローラ
８  ガイド筒
８ａ  溶接用ワイヤ送給手段
１０  固定式リール軸
２０  溶接トーチ
２１  チップ
２２  中心孔
９１  ボルト
Ｐ１  スプリングピン
Ｒ  ワイヤリール
Ｒ１  鍔部
Ｗ  ワイヤ
Ｗ１  凹凸
【図１】
2010000531.tif 000003
【図２】
2010000531.tif 000004
【図３】
2010000531.tif 000005
【図４】
2010000531.tif 000006
【図５】
2010000531.tif 000007